(57)【特許請求の範囲】
【請求項１】
液晶ディスプレイと、
所定の光源と、
射出面の一端側が上記液晶ディスプレイの情報表示領域と対向し、かつ当該射出面の他端側が上記情報表示領域の外側に張り出すように配置され、上記光源から側面に入射する照明光を、上記射出面の裏面となる反射面を介して当該射出面側に反射させて上記情報表示領域の全域に渡って照射するように導光する導光板と、
上記導光板の上記射出面上の上記一端側の少なくとも一部から上記他端側の上記情報表示領域の外側に張り出す張出部分に亘って配置され、上記導光板により導光された上記照明光の上記情報表示領域に照射された部分に生じる輝度むらの明暗を反転させるようにして生成された減光パターンが、上記輝度むらと対向させて形成された減光手段と、
上記導光板の上記射出面の上記張出部分に貼着された遮光フィルムと
を具え、
上記減光手段は、上記導光板の上記射出面の上記張出部分と対向する対向部分が接着剤を介して上記遮光フィルムに接着されて当該張出部分に貼着された
表示装置。
【請求項２】
上記減光手段は、上記減光パターンが形成された透明フィルムでなる
請求項１に記載の表示装置。
【請求項３】
上記光源は、上記導光板の上記他端の上記側面に取り付けられた点光源でなり、
上記遮光フィルムは、上記導光板の上記射出面の上記張出部分に、当該張出部分と上記点光源とを覆うように貼着された
請求項２に記載の表示装置。
【請求項４】
射出面の一端側が液晶ディスプレイの情報表示領域と対向し、かつ当該射出面の他端側が上記情報表示領域の外側に張り出すように配置された導光板によって、所定の光源から側面に入射する照明光を、上記射出面の裏面となる反射面を介して当該射出面側に反射させて上記情報表示領域の全域に渡って照射するように導光したときに、上記照明光の上記情報表示領域に照射された部分に生じる輝度むらを撮像する撮像ステップと、
上記撮像ステップにより得られる上記照明光に生じた上記輝度むらの撮像画像に基づいて、当該輝度むらの明暗を反転させるようにして、上記導光板の上記射出面上の上記一端側の少なくとも一部から上記他端側の上記情報表示領域の外側に張り出す張出部分に亘って配置され、上記導光板の上記射出面の上記張出部分と対向する対向部分が接着剤を介して当該張出部分に貼着される減光手段に上記輝度むらと対向させて形成するための減光パターンを生成する生成ステップと
を具え、
上記撮像ステップは、上記射出面の上記張出部分に遮光フィルムが貼着された上記導光板によって上記照明光を上記情報表示領域の全域に渡って照射するように導光したときに、上記射出面を撮像し、
上記生成ステップは、上記撮像ステップにより得られる上記照明光に生じた上記輝度むらの上記撮像画像に基づいて、当該輝度むらの明暗を反転させるようにして、上記対向部分が上記接着剤を介して上記遮光フィルムに接着される上記減光手段に形成するための上記減光パターンを生成する
減光パターン生成方法。
【請求項５】
上記生成ステップは、上記光源として、点光源から得られる上記照明光に生じた上記輝度むらの白黒でなる上記撮像画像に基づいて、当該輝度むらの明暗を反転させるようにして上記減光パターンを生成する
請求項４に記載の減光パターン生成方法。
【発明の詳細な説明】
【０００１】
【発明の属する技術分野】
本発明は表示装置及び減光パターン生成方法に関し、例えば、透過型の液晶ディスプレイ（LCD:Liquid Crystal Display）を有する表示装置が設けられた携帯電話機に適用して好適なものである。
【０００２】
【従来の技術】
従来、携帯電話機に設けられたこの種の表示装置として、単色の点光源でなる発光ダイオード（LED:Light Emitting Diode）が設けられたものがある。
【０００３】
かかる表示装置においては、一対の透明基板間に液晶が封入されて形成された液晶ディスプレイと、所定の樹脂材によって液晶ディスプレイとほぼ同形状に成形された導光板とが積層配置され、発光ダイオードがその導光板の所定の側面の中央部に近接して配置されている。
【０００４】
そして、この表示装置においては、発光ダイオードを発光させて得られる照明光を導光板の側面中央部に照射することにより、その導光板において側面に入射した照明光を液晶ディスプレイ側に反射させながら拡散させ、当該液晶ディスプレイの背面側から正面側に情報表示領域の全域に渡って透過させる。
【０００５】
かくして、表示装置においては、液晶ディスプレイを透過させた照明光により、このとき、液晶ディスプレイに表示させている文字や図形等の所定の情報の輪郭等を明確にして正面側から視覚的に認識させ得るようになされている。
【０００６】
【発明が解決しようとする課題】
ところで、かかる構成の表示装置においては、液晶ディスプレイに表示させた情報の視認性を高めるために、その液晶ディスプレイの情報表示領域を全域に渡ってほぼ均一に照明する必要がある。
【０００７】
そして、かかる表示装置においては、発光ダイオードの発光により得られる照射光の輝度がその発光ダイオードから遠ざかるほどに減衰するため、導光板の反射面の形状等を適宜選択することにより、その液晶ディスプレイに対して、発光ダイオードから最も離れた部位でも所定の輝度を有する照明光で照射するようになされている。
【０００８】
ところが、この表示装置においては、発光ダイオードの１つの輝点から得られる照明光を導光板で拡散させて液晶ディスプレイの情報表示領域を全域に渡って照明しているため、液晶ディスプレイにおいて、発光ダイオードから最も離れた部位を所定の輝度を有する照明光で照射するには発光ダイオードを比較的高い輝度で発光させる必要がある。
【０００９】
このため、この表示装置においては、導光板の液晶ディスプレイ側に向いた面（以下、これを射出面と呼ぶ）において、発光ダイオードの近傍に照明光の輝度が高すぎて明るさのむら（以下、これを輝度むらと呼ぶ）が生じ、その輝度むらが生じた照明光をそのまま液晶ディスプレイに透過させることにより当該液晶ディスプレイに表示させた情報の視認性が低下する問題があった。
【００１０】
本発明は以上の点を考慮してなされたもので、液晶ディスプレイの視認性を向上し得る表示装置及び減光パターン生成方法を提案しようとするものである。
【００１１】
【課題を解決するための手段】
かかる課題を解決するため本発明においては、表示装置において、液晶ディスプレイと、所定の光源と、射出面の一端側が液晶ディスプレイの情報表示領域と対向し、かつ当該射出面の他端側が情報表示領域の外側に張り出すように配置され、光源から側面に入射する照明光を、射出面の裏面となる反射面を介して当該射出面側に反射させて情報表示領域の全域に渡って照射するように導光する導光板と、当該導光板の射出面上の一端側の少なくとも一部から他端側の情報表示領域の外側に張り出す張出部分に亘って配置され、導光板により導光された照明光の情報表示領域に照射された部分に生じる輝度むらの明暗を反転させるようにして生成された減光パターンが、輝度むらと対向させて形成された減光手段と、導光板の射出面の張出部分に貼着された遮光フィルムとを設けるようにして、当該減光手段において、導光板の射出面の張出部分と対向する対向部分を、接着剤を介して当該遮光フィルムに接着して当該張出部分に貼着するようにした。
【００１２】
従って本発明では、表示装置において、光源から導光板を介して液晶ディスプレイの情報表示領域に照射する照明光に生じる輝度むらを減光パターンによって容易かつ確実に低減させると共に、その照明光が導光板に減光手段を貼着するための接着剤によって乱反射して当該照明光の輝度が低下することも防止することができる。
【００１３】
また、本発明においては、減光パターン生成方法において、射出面の一端側が液晶ディスプレイの情報表示領域と対向し、かつ当該射出面の他端側が情報表示領域の外側に張り出すように配置された導光板によって、所定の光源から側面に入射する照明光を、射出面の裏面となる反射面を介して当該射出面側に反射させて情報表示領域の全域に渡って照射するように導光したときに、照明光の情報表示領域に照射された部分に生じる輝度むらを撮像する撮像ステップと、得られた撮像画像に基づいて、当該輝度むらの明暗を反転させるようにして、導光板の射出面上の一端側の少なくとも一部から他端側の情報表示領域の外側に張り出す張出部分に亘って配置され、導光板の射出面の張出部分と対向する対向部分が接着剤を介して当該張出部分に貼着される減光手段に輝度むらと対向させて形成するための減光パターンを生成する生成ステップとを設け、撮像ステップでは、射出面の張出部分に遮光フィルムが貼着された導光板によって照明光を情報表示領域の全域に渡って照射するように導光したときに、射出面を撮像し、生成ステップでは、撮像ステップにより得られる照明光に生じた輝度むらの撮像画像に基づいて、当該輝度むらの明暗を反転させるようにして、対向部分が接着剤を介して遮光フィルムに接着される減光手段に形成するための減光パターンを生成するようにした。
【００１４】
従って本発明では、減光パターン生成方法において、光源から導光板を介して液晶ディスプレイの情報表示領域に照射する照明光が導光板への貼着のための接着剤によって乱反射して当該照明光の輝度が低下することを防止し得る減光手段に形成するための、その照明光に生じる輝度むらを容易かつ確実に低減し得る減光パターンを容易に生成することができる。
【００１５】
【発明の実施の形態】
以下図面について、本発明の一実施の形態を詳述する。
【００１６】
図１において、１は全体として本発明を適用した携帯電話機を示し、筐体ケース２の正面２Ａに上側から下側にかけて順にスピーカ用穴部３、表示用窓部４、各種操作キー５及びマイクロフォン用穴部６が設けられると共に、当該筐体ケース２の上端面２Ｂの背面側に引出収納式の所定のアンテナ素子７が設けられている。
【００１７】
そして、筐体ケース２の内部には、スピーカ用穴部３に対向させてスピーカ（図示せず）が収納されると共に、マイクロフォン用穴部６に対向させてマイクロフォン（図示せず）が収納されている。
【００１８】
また、筐体ケース２の内部には、無線通信用の回路素子や、各種操作キー５に対向させたダイアフラム構成のスイッチ素子等が実装された回路基板が収納されており、当該回路基板にスピーカやマイクロフォン等が電気的に接続されている。
【００１９】
さらに、筐体ケース２の表示用窓部４には、透明な樹脂材等によって形成された表示窓８が嵌合されており、当該表示窓８と対向させて表示装置が収納されている。
【００２０】
ここで、図２に示すように、表示装置１０においては、長さの異なる一対の透明基板間に液晶（図示せず）が封入されて形成された液晶ディスプレイ１１を有し、当該液晶ディスプレイ１１の表示窓８側に向いた正面１１Ａに偏光板１２が積層配置され、その液晶ディスプレイ１１の背面１１Ｂに反射板１３が積層配置されている。
【００２１】
液晶ディスプレイ１１においては、一対の透明基板によって形成される段差部１１Ｃに複数の液晶用電極（図示せず）が配設されており、これら各液晶用電極にそれぞれ所定のコネクタ（図示せず）及びケーブル（図示せず）を順次介して回路基板の液晶駆動回路（図示せず）が電気的に接続されている。
【００２２】
そして、液晶ディスプレイ１１においては、液晶駆動回路によって駆動されることにより、情報表示領域に文字や図形等の所定の情報を表示させ得るようになされている。
【００２３】
また、液晶ディスプレイ１１の背面１１Ｂ側には、透明なアクリル樹脂等により楔状に形成された導光板１４が反射板１３を介して積層配置されている。
【００２４】
この導光板１４において、筐体ケース２の上端面２Ｂ側の端部には、中央部に円弧状の凹部１４Ａが形成された張出部１４Ｂが設けられており、当該凹部１４Ａに円弧状の発光ダイオード１５が一体に取り付けられている。
【００２５】
ところで、図３に示すように、導光板１４は、液晶ディスプレイ１１側に向いた射出面１４Ｃが平坦に形成され、当該射出面１４Ｃの裏面となる反射面１４Ｄが略鋸歯状に形成されている。
【００２６】
そして、この導光板１４は、反射面１４Ｄの略鋸歯状の傾斜角度や、当該導光板１４の全体に渡る厚み等が適宜選定されており、発光ダイオード１５の発光により張出部１４Ｂ側の側面の中央部（すなわち、凹部１４Ａ）から入射する照明光Ｌ１を反射面１４Ｄの内側で射出面１４Ｃ側に反射させながら拡散させることにより、その反射させた照明光Ｌ１を反射板１３を透過させた後、液晶ディスプレイ１１の背面１１Ｂに全面に渡って照射し得るようになされている。
【００２７】
これにより、液晶ディスプレイ１１の背面１１Ｂの全面に渡って照射された照明光Ｌ１は、その液晶ディスプレイ１１の情報表示領域を全域に渡って透過した後、偏光板１２及び表示窓８を順次透過し、かくして、このとき液晶ディスプレイ１１に表示させている所定の情報の輪郭等を明確にして筐体ケース２の正面２Ａ側から視覚的に認識させ得るようになされている。
【００２８】
因みに、この表示装置１０においては、液晶ディスプレイ１１と、導光板１４との間に配置された反射板１３が、当該導光板１４から得られる照明光Ｌ１を液晶ディスプレイ１１側に透過させると共に、筐体ケース２の外部から表示窓８、偏光板１２及び液晶ディスプレイ１１を順次透過して到来する自然光等の外光Ｌ２を当該液晶ディスプレイ１１側に反射させることにより、液晶ディスプレイ１１の情報表示領域を透過させる光の光量を増加させ、かくして、液晶ディスプレイ１１に表示させている情報の視認性を向上させ得るようになされている。
【００２９】
また、導光板１４（図２）においては、その射出面１４Ｃに、張出部１４Ｂと発光ダイオード１５とを覆うように遮光フィルム１７が貼着されると共に、当該導光板１４の反射面１４Ｄにも全面に渡って遮光フィルム１８が貼着されている。
【００３０】
そして、遮光フィルム１７及び１８は、それぞれ貼着される側の内面１７Ａ及び１８Ａが例えば白色に塗装され、かつ、外面１７Ｂ及び１８Ｂが例えば黒色に塗装されている。
【００３１】
これにより、遮光フィルム１７及び１８は、発光ダイオード１５の発光により得られた照明光Ｌ１が、導光板１４の射出面１４Ｃにおいて、液晶ディスプレイ１１とは重ならない張出部１４Ｂから外部に漏れることを防止すると共に、当該導光板１４の反射面１４Ｄから照明光Ｌ１が外部に漏れることを防止し、かくして、発光ダイオード１５の発光によって得られる照明光Ｌ１を導光板１４の射出面１４Ｃから液晶ディスプレイ１１の背面１１Ｂ側に効率良く導光させ得るようになされている。
【００３２】
かかる構成に加えて携帯電話機１の場合、図２及び図４に示すように、表示装置１０においては、導光板１４の射出面１４Ｃの張出部１４Ｂを含む所定領域を覆うように遮光フィルム１７を介して減光フィルム２０が貼着されている。
【００３３】
図５に示すように、減光フィルム２０は、ポリエチレンテレフタレートのような樹脂材により形成された透明フィルム２１の一面２１Ａに、照明光Ｌ１に生じる輝度むらに対応させて白色のインクで描かれた減光パターン２２が形成されている。
【００３４】
実際に、この減光フィルム２０においては、導光板１４の射出面１４Ｃに生じる照明光Ｌ１の輝度むらに対して、その輝度が比較的高い部分ではインクを濃くし、かつ輝度が低くなるにつれてインクを薄くするようにして減光パターン２２が形成されている。
【００３５】
これにより、図６に示すように、減光フィルム２０は、発呼ダイオード１５の近傍において、導光板１４の射出面１４Ｃから射出する照明光Ｌ１を透明フィルム２１の他面２１Ｂ側から一面２１Ａ側に透過させると共に、このとき、輝度むらが生じている照明光Ｌ１をその輝度に応じた濃淡を有する減光パターン２２によって、輝度むらの生じていない照明光Ｌ１の輝度と同程度まで減光し、かくして、輝度むらの生じた照明光Ｌ１が液晶ディスプレイ１１の背面１１Ｂに照射されることを未然に防止し得るようになされている。
【００３６】
かくして、表示装置１０においては、その減光フィルム２０を導光板１４の射出面１４Ｃに設けることにより、液晶ディスプレイ１１の情報表示領域を視認性が損なわれることを気にすることなく全域を有効に使用して各種情報を表示させることができる。
【００３７】
また、減光フィルム２０においては、透明フィルム２１の厚みが例えば、50〔μm 〕程度と格段的に薄く選定されていることにより、照明された液晶ディスプレイ１１を筐体ケース２の正面２Ａ側から見たときに、その透明フィルム２１の輪郭が液晶ディスプレイ１１に重なって見えることを防止し得るようになされている。
【００３８】
これに加えて、減光フィルム２０においては、このように透明フィルム２１を格段的に薄くするため、その透明フィルム２１の他面２１Ｂに入射した照明光Ｌ１のうち、一面２１Ａの内側で反射して周側面から射出するように導光される照明光Ｌ１の光量を大幅に低減させることができ、かくして、透明フィルム２１の輪郭に沿って周側面から射出する照明光Ｌ１により新たな輝度むらが生じることを防止し得るようになされている。
【００３９】
因みに、減光フィルム２０においては、透明フィルム２１の他面において、遮光フィルム１７と重なる部分にのみ所定の接着剤（図示せず）が塗布されていることにより、導光板１４の射出面１４Ａから液晶ディスプレイ１１の背面１１Ｂに照射すべき照明光Ｌ１がその接着剤で乱反射して輝度が低下することを防止し得るようになされている。
【００４０】
ここで実際上、かかる減光フィルム２０は、図７に示すフィルム生成システム２５を用いて生成することができる。
【００４１】
すなわち、図７に示すように、フィルム生成システム２５においては、表示装置１０に減光フィルム２０（図４）を設けずに構成した携帯電話機１を所定の保持機構（図示せず）に保持すると共に、その携帯電話機１の正面２６Ａ側にディジタルカメラ２７を配置する。
【００４２】
そして、フィルム生成システム２５においては、携帯電話機１において表示装置１０の発光ダイオード１５を発光させて輝度むらの生じた状態で液晶ディスプレイ１１を照明させ、この状態で携帯電話機１を正面側からディジタルカメラ２７によって所定の倍率で撮像することにより、図８に示すように、携帯電話機１の表示窓８を介して照明光Ｌ１の輝度むら２８を認識し得るカラー画像２９の撮像データを生成し、これをパーソナルコンピュータ３０（図７）に送出する。
【００４３】
ここで、パーソナルコンピュータ３０においては、内部に図示しないＣＰＵ（Central Processing Unit ）と、所定の画像処理プログラムが予め格納されたハードディスクと、ＲＡＭ（Random Access Memory）とが設けられている。
【００４４】
そして、パーソナルコンピュータ３０において、ＣＰＵは、カメラ２７から撮像データが与えられると、ハードディスクから読み出した画像処理プログラムをＲＡＭ上に展開し、その画像処理プログラムに従って図９に示す減光パターン生成処理手順ＲＴ１にステップＳＰ１から入り、続くステップＳＰ２において、カメラ２７から与えられた撮像データに基づくカラー画像２９を白黒画像に変換することにより、照明光Ｌ１の輝度むら２８の明暗（濃淡）を明確にしてステップＳＰ３に進む。
【００４５】
ステップＳＰ３において、ＣＰＵは、その白黒画像のコントラストを調整することにより、液晶ディスプレイ１１の情報表示領域を全域に渡って透過している照明光Ｌ１のうちの輝度むら２８の生じている部分を強調してステップＳＰ４に進む。
【００４６】
ステップＳＰ４において、ＣＰＵは、輝度むら２８を強調した白黒画像に対して反転処理を施すことにより、図１０に示すように、白黒画像の明暗を反転させた反転画像３１を生成してステップＳＰ５に進む。
【００４７】
ステップＳＰ５において、ＣＰＵは、その反転画像３１の画素毎の輝度を、輝度むら２８を抽出するために設定された所定の閾値と比較し、得られた比較結果に基づいて、その反転画像３１から反転された輝度むら２８を黒色の濃淡のパターンで示す部分（以下、これを黒色パターン画像と呼ぶ）３２（図１０）を抽出する。
【００４８】
そして、パーソナルコンピュータ３０のハードディスクには、予め携帯電話機１の表示窓８の実物の大きさの情報が格納されている。
【００４９】
従って、ＣＰＵは、黒色パターン画像３２を抽出すると、カラー画像２９内の表示窓８の大きさを検出し、当該検出した表示窓８の大きさと、ハードディスクから読み出した表示窓８の実物の大きさの情報と基づいて、携帯電話機１の撮像時の倍率を検出し、当該検出した倍率に基づいて、黒色パターン画像３２を実物大の大きさに変更することにより、図５について上述した減光パターン２２の元になる減光パターン画像を生成し、この後、続くステップＳＰ６に進んでこの減光パターン生成処理手順ＲＴ１を終了する。
【００５０】
ところで、パーソナルコンピュータ３０のハードディスクには、予め携帯電話機１の導光板１４の実物の大きさと、表示窓８及び導光板１４の配置位置との情報（すなわち、表示窓８と、導光板１４との重なった領域を示す情報）も格納されている。
【００５１】
これにより、ＣＰＵは、これら各情報（導光板１４の実物の大きさと、表示窓８及び導光板１４の配置位置との情報）と、携帯電話機１の撮像時の倍率と、カラー画像２９内の表示窓８において輝度むら２８の生じた位置とに基づいて、導光板１４の一面１４Ｃに対して実際に輝度むら２８の生じた位置を特定し、当該特定した位置の情報と共に減光パターン画像を減光パターンデータとして印刷機３３（図７）に送出する。
【００５２】
印刷機３３は、オフセット印刷の手法により、パーソナルコンピュータ３０から与えられた減光パターンデータに基づいて減光パターンの印刷版を作成し、当該作成した印刷版を用いて、予め保持している図４について上述した透明フィルム２１の一面２１Ａに白色のインクを転写して減光パターン２２を形成することにより減光フィルム２０を生成する。
【００５３】
実際に、透明フィルム２１は、図２及び図４からも明らかなように、導光板１４の一面１４Ｃの張出部１４Ｂ側を含む所定部分の形状とほぼ同等の形状に形成されている。
【００５４】
従って、印刷機３３は、減光パターンデータに含まれる位置の情報に基づいて、あたかも導光板１４の一面１４Ｃに生じる輝度むら２８の位置を特定するように、透明フィルム２１の一面２１Ａにおいて輝度むら２８に対応させてインクを転写すべき位置を容易にかつ確実に特定することができる。
【００５５】
また、印刷機３３は、減光パターンデータに含まれる減光パターン画像に基づいて、黒色の濃い部分では、インクの液滴の径を大きくし、かつ黒色が薄くなるにつれてインクの液滴の径を順次小さくするようにして印刷版にインクを塗布することにより、当該透明フィルム２１の一面２１Ａに減光パターン画像を忠実に転写して減光パターン２２を形成することができる。
【００５６】
かくして、印刷機３３は、このように透明フィルム２１の一面２１Ａにインクの転写位置及び濃度を特定して減光パターン２２を形成した減光フィルム２０を生成することにより、当該生成した減光フィルム２０が携帯電話機１において導光板１４の一面１４Ｃに貼着されて用いられると、その導光板１４で導光した照明光Ｌ１のうちの輝度むら２８の生じた部分の照明光Ｌ１をその減光パターン２２により、輝度むらの生じていない部分の照明光Ｌ１の輝度と同程度までほぼ確実に減光させ得るようになされている。
【００５７】
因みに、このようにして生成された減光フィルム２０は、上述したように透明フィルム２１が導光板１４の一面１４Ｃの張出部１４Ｂ側を含む所定部分の形状とほぼ同等の形状に形成されていることにより、自動機等によりその導光板１４の一面１４Ｃに対して容易に位置決めして貼着することができる。
【００５８】
以上の構成において、携帯電話機１では、発光ダイオード１５を張出部１４Ｂ側の側面に一体に設けるようにした導光板の射出面１４Ｃと、液晶ディスプレイ１１の背面１１Ｂとを対向させて積層配置し、その発光ダイオード１５を発光させて得られる照明光Ｌ１を導光板１４の側面から入射させて反射面１４Ｄの内側で射出面１４Ｃ側に反射させながら拡散させ、当該導光板１４の射出面１４Ｃから射出される照明光Ｌ１を液晶ディスプレイ１１の背面１１Ｂから正面１１Ａに透過させるようにしてその液晶ディスプレイ１１を照明する。
【００５９】
そして、この携帯電話機１では、このとき導光板１４の射出面１４Ｃに生じる照明光Ｌ１の輝度むら２８の明暗を反転させるようにして生成した減光パターン２２を有する減光フィルム２０を、その照明光Ｌ１の輝度むら２８に減光パターン２２を対向させて導光板１４の射出面１４Ｃに貼着するようにした。
【００６０】
従って、この携帯電話機１では、減光フィルム２０の減光パターン２２により、導光板１４で導光して輝度むら２８の生じた部分の照明光Ｌ１を、当該導光板１４で導光して輝度むら２８の生じていない部分の照明光Ｌ１の輝度と同程度まで減光することができ、液晶ディスプレイ１１が輝度むら２８の生じた照明光Ｌ１で照明されることを未然に防止することができる。
【００６１】
因みに、従来の携帯電話機において、導光板１４に生じる照明光Ｌ１の輝度むら２８を低減させるには、その導光板１４の反射面１４Ｄの傾斜角度や厚み等の調整に頼らざるをえないのが実情であり、その調整に多大な時間と費用が必要となる。
【００６２】
これに対して、本実施の形態によれば、導光板１４に生じる照明光Ｌ１の輝度むら２８を実際に撮像し、得られた画像からその輝度むら２８の明暗を反転させるようにして減光パターン２２を生成するため、輝度むら２８の生じた部分の照明光Ｌ１をほぼ確実に減光し得る減光パターン２２を容易に生成することができると共に、複数の携帯電話機１において導光板１４に生じる照明光Ｌ１の輝度むら２８に個体差が生じても、これに容易に対処して減光パターン２２を生成することもできる。
【００６３】
また、携帯電話機１では、例えば、液晶ディスプレイ１１を大画面化し、これを１つの発光ダイオード１５で照明すると、その発光ダイオード１５の輝度を高くする必要があるため、導光板１４に生じる照明光Ｌ１の輝度むら２８も顕著になる。
【００６４】
そして、このような液晶ディスプレイ１１の大画面化において照明光Ｌ１の輝度むら２８を低減させるには、複数の発光ダイオード１５の配置や、導光板１４の厚みを増大させる等のように製造コストを増大させるような変更が必要になると共に、近年の軽薄化の傾向にある携帯電話機にはそぐわないものとなる。
【００６５】
しかしながら、本実施の形態によれば、携帯電話機１に一枚の減光フィルム２０を用いるだけの簡易な構成で、かつ携帯電話機１の軽薄化が損なわれることを防止して、導光板１４に生じる照明光Ｌ１の輝度むら２８をほぼ確実に低減させることができる。
【００６６】
以上の構成によれば、発光ダイオード１５の発光により得られる照明光Ｌ１を側面から入射して射出面１４Ｃ側の液晶ディスプレイ１１に導光する導光板１４のその射出面１４Ｃに、これに生じる照明光Ｌ１の輝度むら２８の明暗を反転させるようにした減光パターン２２を有する減光フィルム２０を当該照明光Ｌ１の輝度むら２８に減光パターン２２を対向させて貼着するようにしたことにより、導光板１４に生じる照明光Ｌ１の輝度むら２８を容易かつ確実に低減させて液晶ディスプレイ１１が輝度むら２８の生じた照明光Ｌ１で照明されることを未然に防止することができ、かくして、液晶ディスプレイの視認性を向上し得る携帯電話機を実現することができる。
【００６７】
なお、上述の実施の形態においては、図４について上述した減光フィルム２０にポリエチレンテレフタレートにより形成された透明フィルム２１を用いるようにした場合について述べたが、本発明はこれに限らず、ポリカーボネイト及びポリエチレンナフタレート等の樹脂材により形成された透明フィルムや、ガラス基板等のように、照明光Ｌ１の透過率が比較的高い透明なものであれば、この他種々の部材を用いることができる。
【００６８】
また、上述の実施の形態においては、図２について上述したように、導光板１４の射出面１４Ｃに減光フィルム２０を貼着するようにした場合について述べたが、本発明はこれに限らず、図２との対応部分に同一符号を付して示す図１１のように、導光板１４の射出面１４Ｃに照明光Ｌ１の輝度むら２８に対向させて直接減光パターン２２を転写したり、又は液晶ディスプレイ１１の背面１１Ｂ等に照明光Ｌ１の輝度むら２８に対向させて直接減光パターン２２を転写するようにしても良く、このようにすれば、携帯電話機１の構成を簡易化することができる。
【００６９】
また、照明光Ｌ１の輝度むら２８が液晶ディスプレイ１１の情報表示領域において、情報の表示に影響しない部分を透過する場合には、図２との対応部分に同一符号を付して示す図１２のように、液晶ディスプレイ１１の正面１１Ａに照明光Ｌ１の輝度むら２８に対向させて直接減光パターン２２を転写したり、図２との対応部分に同一符号を付して示す図１３のように、表示窓８の表面８Ａ（又は内面）に照明光Ｌ１の輝度むら２８に対向させて直接減光パターン２２を転写する等のように、透明フィルム２２の有無に関わらずに、照明光Ｌ１の輝度むら２８を低減し得れば、その照明光Ｌ１の輝度むら２８が透過する種々の光学部品に減光パターン２２を設けることができる。
【００７０】
さらに、上述の実施の形態においては、減光パターン２２を白色のインクで形成するようにした場合について述べたが、本発明はこれに限らず、照明光Ｌ１の輝度むら２８を低減し得れば、液晶の色と同色のインクや、灰色のインク、また遮光性を有する樹脂材等のように、この他種々の材料を用いて減光パターンを形成するようにしても良い。
【００７１】
さらに、上述の実施の形態においては、導光板１４の射出面１４Ｃに生じる照明光Ｌ１の輝度むら２８を低減するために減光パターン２２を生成するようにした場合について述べたが、本発明はこれに限らず、導光板１４の構造によっては照明光Ｌ１を射出面１４Ｃ側に導光するときに周側面から輝度に差のある照明光Ｌ１が導光されて輝度むらを生じることがあるため、このような輝度むらを低減させるための減光パターン等のように、表示窓８の正面側から見えるこの他種々の輝度むらを低減するために減光パターンを生成するようにしても良い。
【００７２】
さらに、上述の実施の形態においては、携帯電話機１の正面側を撮像して得られたカラー画像を元に減光パターン２２を生成するようにした場合について述べたが、本発明はこれに限らず、表示装置１０単体で液晶ディスプレイ１１の正面を撮像した画像や、導光板１４の射出面１４Ｃを撮像した画像を元に減光パターン２２を生成するようにしても良く、導光板１４の射出面１４Ｃに減光パターン２２を設ける場合には、導光板１４の射出面１４Ｃを撮像した画像を元に減光パターン２２を生成すれば、照明光Ｌ１が液晶ディスプレイ１１等を透過するときの減衰等を考慮せずに、その輝度むら２８を適確に低減し得る減光パターンを容易かつ確実に生成することができる。
【００７３】
さらに、上述の実施の形態においては、個々の携帯電話機１の正面側を撮像して得られたカラー画像を元に当該携帯電話機１固有の減光パターン２２を生成するようにした場合について述べたが、本発明はこれに限らず、複数の携帯電話機１で生じた照明光Ｌ１の輝度むら２８の統計をとり、これら各携帯電話機１に共通して用いることのできる減光パターン２２を生成するようにしても良く、このようにすれば、透明フィルム２１又は光学部品に対する減光パターン２２の形成を簡易化することができる。
【００７４】
さらに、上述の実施の形態においては、オフセット印刷の手法により減光パターン２２を形成するようにした場合について述べたが、本発明はこれに限らず、シルク印刷の手法や、インクジェット方式の印刷等のように、この他種々の印刷方式を用いて減光パターンを形成するようにしても良い。
【００７５】
さらに、上述の実施の形態においては、パーソナルコンピュータ３０において実行される減光パターン生成処理手順ＲＴ１により、照明光Ｌ１の輝度むら２８を撮像して得られたカラー画像２９を白黒画像に変換させた後、減光パターン２２の元になる減光パターン画像を生成するようにした場合について述べたが、本発明はこれに限らず、照明光Ｌ１の輝度むら２８を白黒用のカメラで撮像して白黒画像を生成したり、また、カラー画像を白黒画像に変換させずに減光パターンを生成する等のように、撮像して得られた照明光Ｌ１の輝度むら２８の画像の明暗を反転させるようにして減光パターンを生成することができれば、減光パターン生成処理手順にこの他種々の処理を行うステップを用いるようにしても良い。
【００７６】
さらに、上述の実施の形態においては、本発明の表示装置を図１について上述した携帯電話機１に設けるようにした場合について述べたが、本発明はこれに限らず、透過型の液晶ディスプレイを有する表示装置が設けられるものであれば、ＰＤＡ（Personal Digital Assistance ）等の情報端末や、ディジタル時計、ビデオテープレコーダ等の所定の記録媒体に対して記録再生を行う記録再生装置等のように、表示装置をこの他種々の機器に設けるようにしても良い。
【００７７】
さらに、上述の実施の形態においては、本発明を図２について上述したように構成した表示装置１０に適用するようにした場合について述べたが、本発明はこれに限らず、少なくとも透過型の液晶ディスプレイと、導光板と、所定の光源とが設けられていれば、この他種々の構成の表示装置に広く適用することができる。
【００７８】
さらに、上述の実施の形態においては、所定の光源として、点光源でなる発光ダイオード１５を適用するようにした場合について述べたが、本発明はこれに限らず、赤、緑、青の三原色の輝点が一体に形成された発光ダイオードや、ＥＬ（Electronic Luminescent）バックライト等のように、この他種々の光源を広く適用することができる。
【００７９】
さらに、上述の実施の形態においては、光源から得られる照明光を液晶ディスプレイの情報表示領域の全域に渡って照射するように導光する導光板として、図２及び図３について上述した発光ダイオード１５と一体化された導光板１４を適用するようにした場合について述べたが、本発明はこれに限らず、光源から得られる照明光を液晶ディスプレイの情報表示領域の全域に渡って照射するように導光することができれば、この他種々の構成の導光板を広く適用することができる。
【００８０】
さらに、上述の実施の形態においては、導光板に導光された照明光に生じる輝度むらの明暗を反転させるようにして生成した減光パターンを輝度むらと対向させて配置する減光手段として、図５について上述した構成の減光フィルム２０を適用するようにした場合について述べたが、本発明はこれに限らず、導光板に導光された照明光に生じる輝度むらの明暗を反転させるようにして生成した減光パターンを輝度むらと対向させて配置することができれば、減光パターンを描く種々のインク等の材料や、減光パターンが形成されたガラス基板等のように、この他種々の減光手段を広く適用することができる。
【００８１】
【発明の効果】
上述のように本発明によれば、表示装置において、液晶ディスプレイと、所定の光源と、射出面の一端側が液晶ディスプレイの情報表示領域と対向し、かつ当該射出面の他端側が情報表示領域の外側に張り出すように配置され、光源から側面に入射する照明光を、射出面の裏面となる反射面を介して当該射出面側に反射させて情報表示領域の全域に渡って照射するように導光する導光板と、当該導光板の射出面上の一端側の少なくとも一部から他端側の情報表示領域の外側に張り出す張出部分に亘って配置され、導光板により導光された照明光の情報表示領域に照射された部分に生じる輝度むらの明暗を反転させるようにして生成された減光パターンが、輝度むらと対向させて形成された減光手段と、導光板の射出面の張出部分に貼着された遮光フィルムとを設けるようにして、当該減光手段において、導光板の射出面の張出部分と対向する対向部分を、接着剤を介して当該遮光フィルムに接着して当該張出部分に貼着するようにしたことにより、光源から導光板を介して液晶ディスプレイの情報表示領域に照射する照明光に生じる輝度むらを減光パターンによって容易かつ確実に低減させると共に、その照明光が導光板に減光手段を貼着するための接着剤によって乱反射して当該照明光の輝度が低下することも防止することができ、かくして、液晶ディスプレイの視認性を向上させることができる。
【００８２】
また、本発明によれば、減光パターンの生成方法において、射出面の一端側が液晶ディスプレイの情報表示領域と対向し、かつ当該射出面の他端側が情報表示領域の外側に張り出すように配置された導光板によって、所定の光源から側面に入射する照明光を、射出面の裏面となる反射面を介して当該射出面側に反射させて情報表示領域の全域に渡って照射するように導光したときに、照明光の情報表示領域に照射された部分に生じる輝度むらを撮像する撮像ステップと、得られた撮像画像に基づいて、当該輝度むらの明暗を反転させるようにして、導光板の射出面上の一端側の少なくとも一部から他端側の情報表示領域の外側に張り出す張出部分に亘って配置され、導光板の射出面の張出部分と対向する対向部分が接着剤を介して当該張出部分に貼着される減光手段に輝度むらと対向させて形成するための減光パターンを生成する生成ステップとを設け、撮像ステップでは、射出面の張出部分に遮光フィルムが貼着された導光板によって照明光を情報表示領域の全域に渡って照射するように導光したときに、射出面を撮像し、生成ステップでは、撮像ステップにより得られる照明光に生じた輝度むらの撮像画像に基づいて、当該輝度むらの明暗を反転させるようにして、対向部分が接着剤を介して遮光フィルムに接着される減光手段に形成するための減光パターンを生成するようにしたことにより、光源から導光板を介して液晶ディスプレイの情報表示領域に照射する照明光が導光板への貼着のための接着剤によって乱反射して当該照明光の輝度が低下することを防止し得る減光手段に形成するための、その照明光に生じる輝度むらを容易かつ確実に低減し得る減光パターンを容易に生成することができ、かくして、この減光パターンを表示装置の減光手段に形成することで、当該表示装置において、液晶ディスプレイの視認性を向上させることができる。
【図面の簡単な説明】
【図１】本発明による携帯電話機の構成の一実施の形態を示す略線的斜視図である。
【図２】表示装置の構成を示す略線的分解斜視図である。
【図３】導光板の構成を示す略線的断面図である。
【図４】減光フィルムの貼着された導光板の説明に供する略線的斜視図である。
【図５】減光フィルムの構成を示す略線的斜視図である。
【図６】減光フィルムによる照明光の減光の説明に供する略線的断面図である。
【図７】フィルム生成システムの構成を示すブロック図である。
【図８】輝度むらを撮像して得られたカラー画像の構成を示す略線図である。
【図９】減光パターン生成処理手順を示すフローチャートである。
【図１０】反転画像の構成を示す略線図である。
【図１１】他の実施の形態による導光板への減光パターンの形成の説明に供する略線的分解斜視図である。
【図１２】他の実施の形態による液晶ディスプレイへの減光パターンの形成の説明に供する略線的分解斜視図である。
【図１３】他の実施の形態による表示窓への減光パターンの形成の説明に供する略線的分解斜視図である。
【符号の説明】
１……携帯電話機、８……表示窓、１１……液晶ディスプレイ、１１Ａ……正面、１１Ｂ……背面、１４……導光板、１４Ｃ……射出面、１４Ｄ……反射面、１５……発光ダイオード、２０……減光フィルム、２１……透明フィルム、２２……減光パターン、２５……フィルム生成システム、２７……ディジタルカメラ、２８……輝度むら、３０……パーソナルコンピュータ、３２……黒色パターン画像、３３……印刷機、Ｌ１……照明光、ＲＴ１……減光パターン生成処理手順。
【図１】
0004623336.tif 000002
【図２】
0004623336.tif 000003
【図３】
0004623336.tif 000004
【図４】
0004623336.tif 000005
【図５】
0004623336.tif 000006
【図６】
0004623336.tif 000007
【図７】
0004623336.tif 000008
【図８】
0004623336.tif 000009
【図９】
0004623336.tif 000010
【図１０】
0004623336.tif 000011
【図１１】
0004623336.tif 000012
【図１２】
0004623336.tif 000013
【図１３】
0004623336.tif 000014